【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
被写体像を光電変換して生成される撮像信号を取得する取得手段と、
焦点検出領域に対応する前記撮像信号から焦点信号を生成する信号生成手段と、
前記撮像信号から第１の被写体領域を検出する第１の検出手段と、
前記撮像信号から前記第１の被写体領域を推定可能な第２の被写体領域を検出する第２の検出手段と、
主被写体に応じた焦点検出領域を設定する設定手段と、
前記焦点信号に基づいて焦点検出を行う焦点検出手段と、を有し、
前記設定手段は、主被写体が前記第１の検出手段により検出された前記第１の被写体領域の場合、前記第１の検出手段により検出された当該第１の被写体領域の大きさに対して第１の比率の大きさの焦点検出領域を設定し、主被写体が前記第２の被写体領域に基づいて推定された前記第１の被写体領域の場合、前記第２の被写体領域に基づいて推定された当該第１の被写体領域の大きさに対して前記第１の比率よりも大きい第２の比率の大きさの焦点検出領域を設定することを特徴とする自動焦点検出装置。
【請求項２】
前記設定手段は、主被写体が前記第２の被写体領域に基づいて推定された前記第１の被写体領域の場合、当該第１の被写体領域を包含する領域に焦点検出領域を設定することを特徴とする請求項１に記載の自動焦点検出装置。
【請求項３】
前記設定手段は、主被写体が前記第２の被写体領域に基づいて推定された前記第１の被写体領域の場合、当該第１の被写体領域に対応する前記撮像信号のコントラストに応じて焦点検出領域の大きさを変更することを特徴とする請求項１または２に記載の自動焦点検出装置。
【請求項４】
前記設定手段は、前記第２の被写体領域に基づいて推定された前記第１の被写体領域に対応する前記撮像信号のコントラストが第１の値の場合、該コントラストが前記第１の値より大きい第２の値の場合と比較して、焦点検出領域を大きく設定することを特徴とする請求項３に記載の自動焦点検出装置。
【請求項５】
前記設定手段は、主被写体が前記第２の被写体領域に基づいて推定された前記第１の被写体領域の場合、当該第１の被写体領域に基づく第１の焦点検出領域とともに、前記第２の被写体領域に基づいて、前記第１の焦点検出領域より大きい第２の焦点検出領域を設定することを特徴とする請求項１乃至４のいずれか１項に記載の自動焦点検出装置。
【請求項６】
前記設定手段は、前記第１の焦点検出領域を包含するように前記第２の焦点検出領域を設定することを特徴とする請求項５に記載の自動焦点検出装置。
【請求項７】
前記焦点検出手段は、前記第１の焦点検出領域に対応する第１の焦点信号と前記第２の焦点検出領域に対応する第２の焦点信号を所定の比率で加算した焦点信号に基づいて焦点検出を行うことを特徴とする請求項５又は６に記載の自動焦点検出装置。
【請求項８】
前記所定の比率は、前記第１の焦点信号を加算する比率が前記第２の焦点信号を加算する比率より大きくなるように設定されることを特徴とする請求項７に記載の自動焦点検出装置。
【請求項９】
前記所定の比率は、前記第１の焦点検出領域に対応する前記撮像信号のコントラストが第３の値の場合、該コントラストが前記第３の値より小さい第４の値の場合と比較して、前記第１の焦点信号を加算する比率が大きくなるように設定されることを特徴とする請求項７又は８に記載の自動焦点検出装置。
【請求項１０】
前記第１の被写体領域は人物の顔に対応する領域であり、前記第２の被写体領域は人物の顔及び胴体を含む領域であることを特徴とする請求項１乃至９のいずれか１項に記載の自動焦点検出装置。
【請求項１１】
被写体像を光電変換して生成される撮像信号を取得する取得ステップと、
焦点検出領域に対応する前記撮像信号から焦点信号を生成する信号生成ステップと、
前記撮像信号から第１の被写体領域を検出する第１の検出ステップと、
前記撮像信号から前記第１の被写体領域を含む第２の被写体領域を検出する第２の検出ステップと、
主被写体に応じた焦点検出領域を設定する設定ステップと、
前記焦点信号に基づいて焦点検出を行う焦点検出ステップと、を有し、
前記設定ステップにおいて、主被写体が前記第１の検出ステップにより検出された前記第１の被写体領域の場合、前記第１の検出ステップにより検出された当該第１の被写体領域の大きさに対して第１の比率の大きさの焦点検出領域を設定し、主被写体が前記第２の被写体領域に基づいて推定された前記第１の被写体領域の場合、前記第２の被写体領域に基づいて推定された当該第１の被写体領域の大きさに対して前記第１の比率よりも大きい第２の比率の大きさの焦点検出領域を設定することを特徴とする自動焦点検出装置の制御方法。
【手続補正２】
【補正対象書類名】明細書
【補正対象項目名】０００７
【補正方法】変更
【補正の内容】
【０００７】
上述の目的は、被写体像を光電変換して生成される撮像信号を取得する取得手段と、焦点検出領域に対応する撮像信号から焦点信号を生成する信号生成手段と、撮像信号から第１の被写体領域を検出する第１の検出手段と、撮像信号から第１の被写体領域を推定可能な第２の被写体領域を検出する第２の検出手段と、主被写体に応じた焦点検出領域を設定する設定手段と、焦点信号に基づいて焦点検出を行う焦点検出手段と、を有し、設定手段は、主被写体が第１の検出手段により検出された第１の被写体領域の場合、第１の検出手段により検出された当該第１の被写体領域の大きさに対して第１の比率の大きさの焦点検出領域を設定し、主被写体が第２の被写体領域に基づいて推定された第１の被写体領域の場合、第２の被写体領域に基づいて推定された当該第１の被写体領域の大きさに対して第１の比率よりも大きい第２の比率の大きさの焦点検出領域を設定することを特徴とする自動焦点検出装置によって達成される。
【手続補正３】
【補正対象書類名】明細書
【補正対象項目名】００２２
【補正方法】変更
【補正の内容】
【００２２】
人体検出部１１７（第２の検出手段）は、映像信号に対して公知の人体検出処理を施して、撮影画面内の人体（顔と胴体を含む）を検出する。人体検出部１１７は、例えば人体として検出された領域（人体領域、第２の被写体領域）のそれぞれについて、位置と大きさを画像内で特定可能な情報と、検出結果の信頼度などを人体検出結果として制御部１１４に出力する。制御部１１４では、人体検出結果と顔検出結果とに応じて、最終的な顔領域を決定する。人体検出部１１７による検出処理は、複数フレーム毎に繰り返し行われるが、毎フレーム行ってもよい。
【手続補正４】
【補正対象書類名】明細書
【補正対象項目名】００３１
【補正方法】変更
【補正の内容】
【００３１】
Ｓ２０５で制御部１１４は、撮影範囲内の所定の固定位置（例えば中央）にＡＦ枠（焦点検出領域）を設定し、ＡＦ枠の情報をＡＦゲート１１２に通知する。そしてＳ２０６で制御部１１４は、ＡＦゲート１１２を通過した信号から生成されたＡＦ評価値を取得する。Ｓ２１６で制御部１１４は、ＡＦ枠内に対応するＡＦ評価値に基づくＴＶ−ＡＦ制御を実行する。ＴＶ−ＡＦ制御の詳細については後述する。
【手続補正５】
【補正対象書類名】明細書
【補正対象項目名】００４５
【補正方法】変更
【補正の内容】
【００４５】
従って、Ｓ２０３で制御部１１４は、同一識別ＩＤが付与されている検出結果の有無を判定することにより、同一被写体に係る顔領域と人体領域が検出されているかどうかを判定することができる。
【手続補正６】
【補正対象書類名】明細書
【補正対象項目名】００５５
【補正方法】変更
【補正の内容】
【００５５】
図６に示すように、無限側でレンズが停止している期間Ａの間に撮像素子１０６に蓄積された電荷（図中、斜線楕円で示す）に対するＡＦ評価値ＥＶＡが時刻ＴＡで取り込まれる。また、至近側でレンズが停止している期間Ｂの間に撮像素子１０６に蓄積された電荷に対するＡＦ評価値ＥＶＢが時刻ＴＢで取り込まれる。また、再び無限側でレンズが停止している期間Ｃの間に撮像素子１０６に蓄積された電荷に対するＡＦ評価値ＥＶＣが時刻ＴＣで取り込まれる。
【手続補正７】
【補正対象書類名】明細書
【補正対象項目名】００５６
【補正方法】変更
【補正の内容】
【００５６】
そして、時刻ＴＤで制御部１１４は、ＡＦ評価値ＥＶＡ、ＥＶＢ、ＥＶＣを比較する。制御部１１４は、ＥＶＡ＞ＥＶＢかつＥＶＣ＞ＥＶＢであれば、微小駆動の駆動（振動）中心を現在の位置ａからＡＦ評価値が大きくなる方向（ここでは無限方向）に所定量移動させｂとする。一方、ＥＶＡ＜ＥＶＢまたはＥＶＢ＞ＥＶＣであれば、制御部１１４は振動中心を移動させない。
【手続補正８】
【補正対象書類名】明細書
【補正対象項目名】００６４
【補正方法】変更
【補正の内容】
【００６４】
＜第２の実施形態＞
図９は、本発明の第２の実施形態に係る撮像装置の一例としてのデジタルビデオカメラ１００’の構成例を示すブロック図である。図９において第１の実施形態と同じ機能ブロックには同じ参照数字を付し、重複する説明は省略する。本実施形態では、第１の実施形態の構成に対し、ＡＦゲート９０１と、ＡＦ信号処理回路９０２が追加されている。また、本実施形態のデジタルビデオカメラ１００’は、第１の実施形態において図２を用いて説明したＡＦ制御処理のうち、Ｓ２１４でのＡＦ枠設定処理およびＳ２１５でのＡＦ評価値取得処理が異なる。従って、以下では本実施形態におけるＡＦ枠設定処理およびＡＦ評価値取得処理について説明する。
【手続補正９】
【補正対象書類名】図面
【補正対象項目名】図６
【補正方法】変更
【補正の内容】
【図６】
2014102293.tif 000001